(57)【特許請求の範囲】
【請求項１】
蛍光テープを一定の間隔に貼る事により形成されたバーマークシートを、フロント
パネル上面に貼るだけで、バーマークシートに光が当りフロントガラスに蛍光テー
プからの反射光でバーマークが映し出され、前を走る車との車間距離の目安がわ
かる事を特徴とする車間距離維持シート。
【請求項２】
周囲の光が当らない場合でもフロントガラスにバーマークが映し出されるように、
前記バーマークシートに対して光を供給する手段を備えることを特徴とする
請求項１に記載の車間距離維持シート。
【請求項３】
ドライバーの視線の角度が変わった場合に対応するため、前記バーマークシートの
取り付け角度を変更、調整するための角度調整用軸及び角度調整レバーを備える
ことを特徴とする請求項１に記載の車間距離維持シート。
【請求項４】
前記バーマークシート上の蛍光テープからの反射光が直接ドライバーの目に入ら
ない様に、遮光シートを取り付けた事を特徴とする請求項１に記載の車間距離
維持シート。
【発明の詳細な説明】
【技術分野】
【０００１】
本発明は電子制御等のハイコストに頼らないでシートをフロントパネルの上に貼るだけで、一般道での車間距離を維持するグッズである。
【背景技術】
【０００２】
最近では自動運転等の制御技術で様々な新製品が発明されているが、後付け使用できるものは殆んどない。そして現在走っている車は高額な新車に買い替えないかぎりその恩恵は受けられないと言う事になる。
【先行技術文献】
【特許文献】
【０００３】
【特許文献１】特開平７−２６６９２５
【発明の概要】
【発明が解決しようとする課題】
【０００４】
初心者や高齢者が出来るだけ安全に自動車を運転することが出来る様に、現在、使用している車で出来る様にする為に少しでも役立てたい。
【課題を解決するための手段】
【０００５】
本発明は、上記課題を解決するために、主に乗用車（含む軽自動車）のドライバーの正面の視界に合わせ、フロントガラスに映像が投影されるようにフロントパネルに、蛍光テープをストライプ状にシートに貼り付ける事により、自分の車と前の車の遠近の目安の定規の役割をすることにより、何もないときより、より正確な車間距離が把握できる仕組みを利用することにより、車間距離を維持することが出来る様にする。
【発明の効果】
【０００６】
本発明の車間距離維持シートを使用する事により、初心者や高齢者が前の車との間隔や横の白線との間隔を保つための補助具として安全運転に寄与できる。
【図面の簡単な説明】
【０００７】
【図１】図１は本発明の車間距離維持シートを使用して、フロントガラスに投影された映像を見ながら直線の道路を、前の車と適正な車間距離を取りながら走行している状態を示す。
【図２】図２は本発明の車間距離維持シートを使用して、フロントガラスに投影された、右折するカーブにさしかかった時に、車間距離維持シートの６の部分が投影された画像５の部分が白線に近づきそうになったらハンドル７を１４の方向にきる事により、車体を車道の中央付近の位置に保つことが出来ることを示す。
【図３】図３は本発明の車間距離維持シートを使用して、フロントガラスに投影された、左折するカーブにさしかかった時に、車間距離維持シートの６の部分が投影された画像５の部分が白線に近づきそうになったらハンドル７を１９の方向にきる事により、車体を車道の中央付近の位置に保つことが出来ることを示す。
【図４】図４は本発明の車間距離維持シートをフロントパネルに貼り付け、車間距離維持シートに外部からの光で蛍光テープが反射し、フロントガラスに透明な画像を作る状態を側面から見た状態を示す。
【図５】図５は本発明の車間距離維持シートを上から見た図である。
【図６】図６は本発明の車間距離維持シートを車に取り付けた状態を側面から見た図である。
【発明を実施するための形態】
【０００８】
本発明の実施形態を図１〜図６に基づいて説明する。  
【０００９】
図１は本発明車間距離維持シートを使用して、フロントガラスに投影された映像を見ながら直線の道路を、前の車１と適正な車間距離２を取りながら走行している状態を示した図である。  
【００１０】
図２は本発明の車間距離維持シートを使用して、フロントガラスに投影された、右折するカーブ１１にさしかかった時に、車間距離維持シートの６の部分が投影された画像５の部分が白線に近づきそうになったらハンドル７を１４の方向にきる事により、車体を車道の中央付近の位置に保つことが出来る事を示した図である。  
【００１１】
図３は本発明の車間距離維持シートを使用して、フロントガラスに投影された、左折するカーブにさしかかった時に、車間距離維持シートの６の部分が投影された画像５の部分が白線に近づきそうになったらハンドル７を１９の方向にきる事により、車体を車道の中央付近の位置に保つことが出来る事を示した図である。
【００１２】
図４は本発明の車間距離維持シートをフロントパネルに貼り付け２５、車間距離維持シートに外部からの光２１で蛍光テープが反射し、フロントガラス２２に透明な画像２３を作る状態を側面から見た図である。
【００１３】
図５は本発明の車間距離維持シートを上から見た図である。
【００１４】
図６は本発明の車間距離維持シートを側面から見た図でドライバーに車間距離維持シートに直射日光が当っても３１の遮光シートにより防ぐ事を示した図である。
【実施例１】
【００１５】
図１は本発明の実施例を示す。
【産業上の利用可能性】
【００１６】
初心者や高齢者で車間距離の感覚や、車道の白線に対する車幅の感覚に自信が持てない状態で不安な運転をしている人の補助をすることにより安全運転に貢献する。
【符号の説明】
【００１７】
１  前を走っている車２  車間距離（フロントガラス越しの透明な映像上）３  直線道路の進行方向４  車間距離専用部分（赤色蛍光テープ又は塗料の映像）５  白線に対する車幅も兼ねた目安のゲージ部分（赤色蛍光テープ又は塗料の映像）６  車間距離維持シートの白線に対する車幅も兼ねた目安のゲージ部分７  ハンドル８  LEDマジックテープ９  角度調節用レバー１０  右折車道の進行方向１１  右折車道の白線１２  車間距離専用部分の赤色蛍光テープ又は塗料の映像１３  白線に対する目安のゲージ部分の黄色蛍光テープ又は塗料の映像１４  右折時にハンドルをきる方向１５  フロントガラス１６  左折車道の進行方向１７  黄色の蛍光テープ又は塗料１８  赤色の蛍光テープ又は塗料１９  左折時にハンドルをきる方向２０  フロントパネル２１  外部からの光２２  フロントガラス側面２３  ドライバーから見える車間距離維持シートの映像側面２４  ドライバーの視線２５  フロントパネル上面２６  ボンネット２７  ドライバー２８  ドライバーの手２９  左折車道の白線３０  LEDマジックテープSW３１  遮光シート３２  車間距離維持シートを取り付ける時、角度調節用軸３３  角度調節用レバーのボタン３４  車間距離維持シート固定用マジックテープ凸３５  車間距離維持シート固定用マジックテープ凹
【要約】      （修正有）【課題】初心者や高齢者で車間距離の感覚や、車道の白線に対する車幅の感覚に自信が持てない状態で不安な運転をしている人の補助をすることにより安全運転に貢献する。【解決手段】課題を解決するために、乗用車（含む軽自動車）のドライバーの正面の視界に合わせ、フロントガラスに映像が投影されるようにフロントパネルに、蛍光テープでバーマークを投影する事により、自分の車と前の車の間隔が感じ取れる目安の定規の役割をすることにより、何もないときより、より正確な車間距離が把握できる仕組みを利用することにより、車間距離を維持することが出来る様になる。【選択図】図１【図１】
0006041412.tif 000002
【図２】
0006041412.tif 000003
【図３】
0006041412.tif 000004
【図４】
0006041412.tif 000005
【図５】
0006041412.tif 000006
【図６】
0006041412.tif 000007